(57)【要約】【課題】造作部材または家具部材の上面に形成された溝または面取り部に対して高速でインキを塗布することが可能なインキ塗布方法およびインキ塗布装置を提供する。【解決手段】インキ塗布装置１０は、幅木材１１を支持して搬送する複数の搬送ローラー３１と、搬送ローラー３１により搬送される幅木材１１の面取り部２１ａまたは縦溝２１ｃおよびそれらの近傍の上面２１に、インキ２７に対して親和性を持つ溶液２８を塗布する溶液塗布ロール３２と、溶液塗布ロール３２により塗布された溶液２８のうち、上面２１に残る溶液２８を掻きとる吸水ロール３３とを備えている。さらに、面取り部２１ａまたは縦溝２１ｃに塗布された溶液２８に対してインキ２７を塗布するインキ塗布手段３４が設けられている。このインキ塗布手段３４は、その外周面上に付着されたインキ２７を面取り部２１ａまたは縦溝２１ｃ上の溶液２８に塗布する２段印刷版胴３５，４５を有している。【選択図】図１
2011062670.tif 000002
【特許請求の範囲】
【請求項１】
木質板と、木質板上に積層された化粧シートとを有する造作部材または家具部材の上面に形成された溝または面取り部に対してインキを塗布する方法において、
溝または面取り部およびそれらの近傍の上面に、インキに対して親和性を持つ溶液を塗布する工程と、
塗布された溶液のうち、上面に残る溶液を除去する工程と、
溝または面取り部に塗布された溶液に対してインキを塗布する工程と、を備えたことを特徴とするインキ塗布方法。
【請求項２】
造作部材または家具部材の上面に形成された溝に対してインキを塗布する方法であって、
溝は、造作部材または家具部材の上面の全長または全幅にわたって延びるよう形成された貫通溝からなることを特徴とする請求項１に記載のインキ塗布方法。
【請求項３】
造作部材または家具部材の上面に形成された溝に対してインキを塗布する方法であって、
溝は、造作部材または家具部材の上面の内側から延びるよう形成された非貫通溝からなることを特徴とする請求項１に記載のインキ塗布方法。
【請求項４】
溝は、化粧シートから木質板にまで達することを特徴とする請求項１乃至３のいずれかに記載のインキ塗布方法。
【請求項５】
木質板と、木質板上に積層された化粧シートとを有する造作部材または家具部材の上面に形成された溝または面取り部に対してインキを塗布する装置において、
造作部材または家具部材を支持して搬送する搬送ローラーと、
搬送ローラーにより搬送される造作部材または家具部材の溝または面取り部およびそれらの近傍の上面に、インキに対して親和性を持つ溶液を塗布する溶液塗布手段と、
溶液塗布手段により塗布された溶液のうち、上面に残る溶液を除去する溶液除去手段と、
溝または面取り部に塗布された溶液に対してインキを塗布するインキ塗布手段と、を備えたことを特徴とするインキ塗布装置。
【請求項６】
造作部材または家具部材の上面に形成された溝に対してインキを塗布する装置であって、
溝は、造作部材または家具部材の上面の全長または全幅にわたって延びるよう形成された貫通溝からなることを特徴とする請求項５に記載のインキ塗布装置。
【請求項７】
造作部材または家具部材の上面に形成された溝に対してインキを塗布する装置であって、
溝は、造作部材または家具部材の上面の内側から延びるよう形成された非貫通溝からなることを特徴とする請求項５に記載のインキ塗布装置。
【請求項８】
溝は、化粧シートから木質板にまで達することを特徴とする請求項５乃至７のいずれかに記載のインキ塗布装置。
【請求項９】
インキ塗布手段は、小径部と、小径部に連結して設けられた大径部とを含む２段印刷版胴を有することを特徴とする請求項５に記載のインキ塗布装置。
【請求項１０】
２段印刷版胴は、造作部材または家具部材の搬送方向に対して逆向きに回転することを特徴とする請求項９に記載のインキ塗布装置。
【請求項１１】
インキ塗布手段は、造作部材または家具部材に対して相対移動可能なインキ塗布用ディスペンサーからなることを特徴とする請求項５に記載のインキ塗布装置。
【請求項１２】
溶液除去手段は、吸水ロール駆動機構により駆動されて回転する吸水ロールからなることを特徴とする請求項５に記載のインキ塗布装置。
【請求項１３】
吸水ロールは、吸水ロール駆動機構により駆動されて造作部材または家具部材の搬送方向と同一の向きに回転することを特徴とする請求項１２に記載のインキ塗布装置。
【請求項１４】
溶液塗布手段は、塗布ロール駆動機構により駆動されて回転する溶液塗布ロールからなることを特徴とする請求項５に記載のインキ塗布装置。
【請求項１５】
溶液塗布ロールは、塗布ロール駆動機構により駆動されて造作部材または家具部材の搬送方向と同一の向きに回転することを特徴とする請求項１４に記載のインキ塗布装置。
【請求項１６】
溶液塗布手段は、造作部材または家具部材に対して相対移動可能な溶液塗布用ディスペンサーからなることを特徴とする請求項５に記載のインキ塗布装置。
【請求項１７】
インキ塗布済の造作部材または家具部材の製造方法において、
木質板と、木質板上に積層された化粧シートとを有し、上面に溝または面取り部が形成された造作部材または家具部材を準備する工程と、
造作部材または家具部材の上面に形成された溝または面取り部に対してインキを塗布する工程と、を備え、
前記インキを塗布する工程は、前記溝または面取り部およびそれらの近傍の上面に、インキに対して親和性を持つ溶液を塗布する工程と、塗布された溶液のうち、上面に残る溶液を除去する工程と、溝または面取り部に塗布された溶液に対してインキを塗布する工程と、を有することを特徴とするインキ塗布済の造作部材または家具部材の製造方法。
【請求項１８】
インキ塗布済の造作部材または家具部材の製造方法によって得られたインキ塗布済の造作部材または家具部材において、
前記インキ塗布済の造作部材または家具部材の製造方法は、木質板と、木質板上に積層された化粧シートとを有し、上面に溝または面取り部が形成された造作部材または家具部材を準備する工程と、造作部材または家具部材の上面に形成された溝または面取り部に対してインキを塗布する工程と、を備え、
前記インキを塗布する工程は、前記溝または面取り部およびそれらの近傍の上面に、インキに対して親和性を持つ溶液を塗布する工程と、塗布された溶液のうち、上面に残る溶液を除去する工程と、溝または面取り部に塗布された溶液に対してインキを塗布する工程と、を有することを特徴とするインキ塗布済の造作部材または家具部材。
【発明の詳細な説明】
【技術分野】
【０００１】
本発明は、造作部材または家具部材の上面に形成された溝または面取り部に対してインキを塗布するインキ塗布方法およびインキ塗布装置に係り、とりわけ溝または面取り部に対して容易にかつ精度良くインキを塗布することができるインキ塗布方法およびインキ塗布装置に関する。また本発明は、インキ塗布済の造作部材または家具部材の製造方法、並びに当該インキ塗布済の造作部材または家具部材の製造方法により得られたインキ塗布済の造作部材または家具部材に関する。
【背景技術】
【０００２】
造作部材または家具部材の上面には、装飾性のため溝または面取り部が形成されることがある。造作部材または家具部材の上面に形成された溝または面取り部に対してインキを塗布する方法として、インクを吐出するノズルを用いる方法が知られている。
【０００３】
例えば特許文献１において、ドアパネルの搬送方向前後に近接して設けられた塗料吐出ノズルと吸込ノズルとを用いる溝塗装方法が提案されている。特許文献１においては、はじめに、塗料吐出ノズルから溝に塗料が供給され、次に、余分の塗料が吸込ノズルにより吸引されている。
【０００４】
また特許文献２においては、ワークの一辺から他辺に通じる凹溝内に塗装をおこなうための溝塗装装置が示されている。この溝塗装装置は、ワークの凹溝内に塗料を塗布する塗布ノズルと、ワークの一辺側の端面に当接するとともに凹溝の一端に連通する凹部を形成した受ストッパーと、ワークの他辺側の端面に当接するとともに凹溝の他端に連通する凹部を形成してワークを受ストッパー側に押圧する押圧プッシャーと、受ストッパー及び押圧プッシャーにおける凹部の底部に連通して凹部内に流入した余分の塗料を吸引排出する吸引排出手段を備えている。
【先行技術文献】
【特許文献】
【０００５】
【特許文献１】特開昭５９−２１６６６３号公報
【特許文献２】実開平６−３４６９号公報
【発明の概要】
【発明が解決しようとする課題】
【０００６】
しかしながら、特許文献１に開示されている溝塗装方法においては、余分の塗料を吸込ノズルにより吸引するため、塗料の無駄使いが多いという問題があり、さらに、吸込ノズルの吸引力によって溝内の塗料がドアパネルの表面に吸い上げられ、これによってドアパネルの表面が汚れてしまうという問題がある。また、特許文献２に開示されている溝塗装装置においては、高速で塗装を行うことが困難であり、さらに、造作部材または家具部材の溝または面取り部は、一般に積層体からなる造作部材または家具部材を切削などにより加工することにより形成されており、このため溝または面取り部にささくれなどの凹凸部が形成されやすく、これによって凹凸部においてインキかすれなどが生じ、塗装が不安定になることも考えられる。
【０００７】
本発明は、このような点を考慮してなされたものであり、造作部材または家具部材の上面に形成された溝または面取り部に対して、インキを無駄に使うことなく、またインキかすれなどを生じさせることなく、高速で、容易かつ精度良くインキを塗布することが可能なインキ塗布方法、およびインキ塗布装置を提供することを目的とする。また本発明は、インキ塗布済の造作部材または家具部材の製造方法、並びに当該インキ塗布済の造作部材または家具部材の製造方法により得られたインキ塗布済の造作部材または家具部材を提供することを目的とする。
【課題を解決するための手段】
【０００８】
本発明は、木質板と、木質板上に積層された化粧シートとを有する造作部材または家具部材の上面に形成された溝または面取り部に対してインキを塗布する方法において、溝または面取り部およびそれらの近傍の上面に、インキに対して親和性を持つ溶液を塗布する工程と、塗布された溶液のうち、上面に残る溶液を除去する工程と、溝または面取り部に塗布された溶液に対してインキを塗布する工程と、を備えたことを特徴とするインキ塗布方法である。
【０００９】
本発明は、造作部材または家具部材の上面に形成された溝に対してインキを塗布する方法であって、溝は、造作部材または家具部材の上面の全長または全幅にわたって延びるよう形成された貫通溝からなることを特徴とするインキ塗布方法である。
【００１０】
本発明は、造作部材または家具部材の上面に形成された溝に対してインキを塗布する方法であって、溝は、造作部材または家具部材の上面の内側から延びるよう形成された非貫通溝からなることを特徴とするインキ塗布方法である。
【００１１】
本発明によるインキ塗布方法において、溝は、化粧シートから木質板にまで達していてもよい。
【００１２】
本発明は、木質板と、木質板上に積層された化粧シートとを有する造作部材または家具部材の上面に形成された溝または面取り部に対してインキを塗布する装置において、造作部材または家具部材を支持して搬送する搬送ローラーと、搬送ローラーにより搬送される造作部材または家具部材の溝または面取り部およびそれらの近傍の上面に、インキに対して親和性を持つ溶液を塗布する溶液塗布手段と、溶液塗布手段により塗布された溶液のうち、上面に残る溶液を除去する溶液除去手段と、溝または面取り部に塗布された溶液に対してインキを塗布するインキ塗布手段と、を備えたことを特徴とするインキ塗布装置である。
【００１３】
本発明は、造作部材または家具部材の上面に形成された溝に対してインキを塗布する装置であって、溝は、造作部材または家具部材の上面の全長または全幅にわたって延びるよう形成された貫通溝からなることを特徴とするインキ塗布装置である。
【００１４】
本発明は、造作部材または家具部材の上面に形成された溝に対してインキを塗布する装置であって、溝は、造作部材または家具部材の上面の内側から延びるよう形成された非貫通溝からなることを特徴とするインキ塗布装置である。
【００１５】
本発明によるインキ塗布装置において、溝は、化粧シートから木質板にまで達していてもよい。
【００１６】
本発明によるインキ塗布装置において、インキ塗布手段は、小径部と、小径部に連結して設けられた大径部とを含む２段印刷版胴を有していてもよい。２段印刷版胴は、好ましくは、造作部材または家具部材の搬送方向に対して逆向きに回転する。
【００１７】
本発明によるインキ塗布装置において、インキ塗布手段は、造作部材または家具部材に対して相対移動可能なインキ塗布用ディスペンサーからなっていてもよい。
【００１８】
本発明によるインキ塗布装置において、溶液除去手段は、吸水ロール駆動機構により駆動されて回転する吸水ロールからなっていてもよい。吸水ロールは、好ましくは、吸水ロール駆動機構により駆動されて造作部材または家具部材の搬送方向と同一の向きに回転する。
【００１９】
本発明によるインキ塗布装置において、溶液塗布手段は、塗布ロール駆動機構により駆動されて回転する溶液塗布ロールからなっていてもよい。溶液塗布ロールは、好ましくは、塗布ロール駆動機構により駆動されて造作部材または家具部材の搬送方向と同一の向きに回転する。
【００２０】
本発明によるインキ塗布装置において、溶液塗布手段は、造作部材または家具部材に対して相対移動可能な溶液塗布用ディスペンサーからなっていてもよい。
【００２１】
本発明は、インキ塗布済の造作部材または家具部材の製造方法において、木質板と、木質板上に積層された化粧シートとを有し、上面に溝または面取り部が形成された造作部材または家具部材を準備する工程と、造作部材または家具部材の上面に形成された溝または面取り部に対してインキを塗布する工程と、を備え、前記インキを塗布する工程は、前記溝または面取り部およびそれらの近傍の上面に、インキに対して親和性を持つ溶液を塗布する工程と、塗布された溶液のうち、上面に残る溶液を除去する工程と、溝または面取り部に塗布された溶液に対してインキを塗布する工程と、を有することを特徴とするインキ塗布済の造作部材または家具部材の製造方法である。
【００２２】
本発明は、インキ塗布済の造作部材または家具部材の製造方法によって得られたインキ塗布済の造作部材または家具部材において、前記インキ塗布済の造作部材または家具部材の製造方法は、木質板と、木質板上に積層された化粧シートとを有し、上面に溝または面取り部が形成された造作部材または家具部材を準備する工程と、造作部材または家具部材の上面に形成された溝または面取り部に対してインキを塗布する工程と、を備え、前記インキを塗布する工程は、前記溝または面取り部およびそれらの近傍の上面に、インキに対して親和性を持つ溶液を塗布する工程と、塗布された溶液のうち、上面に残る溶液を除去する工程と、溝または面取り部に塗布された溶液に対してインキを塗布する工程と、を有することを特徴とするインキ塗布済の造作部材または家具部材である。
【発明の効果】
【００２３】
本発明によれば、木質板と木質板上に積層された化粧シートとを有する造作部材または家具部材の上面に形成された溝または面取り部に対してインキを塗布するとき、まず溝または面取り部およびそれらの近傍の上面に、インキに対して親和性を持つ溶液を塗布し、次に、塗布された溶液のうち、上面に残る溶液を除去し、その後、溝または面取り部の溶液に対してインキを塗布する。このようにして、上面の溝または面取り部に対してインキを容易かつ精度良く塗布することができる。このことにより、インキを無駄に使うことなく、またインキかすれなどを生じさせることなく、高速でインキを塗布することが可能となる。これによって、インキ塗布済の造作部材または家具部材を容易に製造することができる。また、造作部材または家具部材の上面の溝または面取り部に対してインクを塗布する際の溝または面取り部の形状に対する制約がなくなり、このため、種々の意匠を造作部材または家具部材に容易に表現することが可能となる。
【図面の簡単な説明】
【００２４】
【図１】図１は、本実施の第１の実施の形態におけるインキ塗布装置全体を示す斜視図。
【図２】図２は、本実施の第１の実施の形態における幅木材の層構成を示す図。
【図３】図３は、本発明の第１の実施の形態における幅木材を示す斜視図。
【図４】図４は、図３に示す幅木材をＡ−Ａ方向からみた断面図。
【図５】図５（ａ）（ｂ）は、本発明の第１の実施の形態において、面取り部へインキを塗布するために用いられる２段印刷版胴を示す正面図および側面図、図５（ｃ）は、図５（ａ）に示す２段印刷版胴のうちその端部を拡大して示す図。
【図６】図６（ａ）（ｂ）は、本発明の第１の実施の形態において、溝へインキを塗布するために用いられる２段印刷版胴を示す正面図および側面図、図６（ｃ）は、図６（ａ）に示す２段印刷版胴のうちその端部を拡大して示す図。
【図７】図７（ａ）（ｂ）（ｃ）は、本発明の第１の実施の形態における幅木材の変形例を示す断面図。
【図８】図８は、本実施の第２の実施の形態におけるインキ塗布装置全体を示す斜視図。
【図９】図９（ａ）は、本実施の第２の実施の形態におけるドアパネルを示す斜視図、図９（ｂ）は、図９（ａ）に示すドアパネルをＢ−Ｂ方向からみた断面図、図９（ｃ）は、図９（ａ）に示すドアパネルをＣ−Ｃ方向からみた断面図。
【図１０】図１０は、本実施の第２の実施の形態におけるディスペンサーを示す斜視図。
【図１１】図１１（ａ）（ｂ）（ｃ）は、本実施の第２の実施の形態におけるインキ塗布方法を示す図。
【図１２】図１２は、本実施の第２の実施の形態におけるインキ塗布装置の変形例を示す斜視図。
【発明を実施するための形態】
【００２５】
はじめに、本発明における造作部材または家具部材について説明する。
本発明において造作部材とは、建築内部の仕上材、取付物のうち床材を除く部材のことであり、例えば建具、建具枠材、敷居材、鴨居材、幅木材、廻り縁材、腰壁材、階段踏み板、蹴込み板、階段側板、手すり材、框材、羽目板などを挙げることができる。
本発明において建具とは、ドアパネル、障子、襖など、建築内部の室を区切るよう開閉自在に取り付けられている部材のことである。
本発明において家具部材とは、たんす、机、椅子など、日常生活のための道具（家具）のための部材のことである。
【００２６】
第１の実施の形態
本実施の形態においては、造作部材または家具部材の一例である幅木材１１に対してインキを塗布する場合について説明する。はじめに図２乃至図４を参照して、幅木材１１について説明する。
【００２７】
幅木材
図２に示すように、幅木材１１は、木質板１２と、木質板１２上に第１接着剤コート層１３を介して積層された化粧シート１４とを有している。幅木材１１のうち木質板１２の構成は特に限定されないが、例えば杉、檜、樫、ラワン、チークなどの樹木から構成される木材単板・合板、パーティクルボード、中密度繊維板（ＭＤＦ）等が挙げられる。木質板１２の厚さは特に限定されないが、例えば４〜２０ｍｍの範囲内であり、例えば５ｍｍとなっている。
【００２８】
幅木材１１のうち第１接着剤コート層１３の材質は特に限定されず、木質板１２および化粧シート１４に応じて適宜選択される。例えば第１接着剤コート層１３として、酢酸ビニル樹脂系の接着剤を使用することができる。第１接着剤コート層１３の厚さは、例えば３０μｍとなっている。
【００２９】
次に、幅木材１１のうち化粧シート１４について説明する。化粧シート１４の構成も特に限定されないが、例えば化粧シート１４は、第１接着剤コート層１３側から順に配置された基材シート１５と、絵柄層１６と、接着層１７と、透明樹脂層１８とプライマー層１９と、表面保護層２０とを有している。
【００３０】
このうち基材シート１５は、例えば、着色剤添加で着色隠蔽性とした茶褐色の厚み６０μｍのポリプロピレン系樹脂フィルムからなる。また絵柄層１６は、例えば、この基材シート１５の上面に、２液硬化型ウレタン樹脂をバインダー樹脂とした用いた着色インキをグラビア印刷することにより形成されている。絵柄層１６の上に形成される接着層１７は、例えば、２液硬化型ウレタン樹脂からなる塗液を塗工することにより形成されており、その厚さは例えば２μｍとなっている。接着層１７の上に形成される透明樹脂層１８は、例えばエチレン−プロピレン−ブテン共重合体を含み、ベンゾトリアゾール系紫外線吸収剤及びヒンダードアミン系ラジカル捕捉剤が添加されたポリプロピレン系熱可塑性エラストマーを、Ｔダイで溶融押出塗工することにより形成されており、その厚さは例えば６０μｍとなっている。
【００３１】
透明樹脂層１８の上には、例えば、アクリル−ウレタンブロック共重合体の主剤とイソシアネートの硬化剤とからなる２液硬化型ウレタン樹脂の塗液を塗工することにより、厚さ２μｍのプライマー層１９が形成されている。プライマー層１９の上には、例えば、ウレタンアクリレート系の電離放射線硬化性樹脂をグラビアコートにより厚さ５μｍで塗布した後、塗布された電離放射線硬化性樹脂に１７５ｋｅＶ、５０ｋＧｙの条件で電子線を照射することにより、厚さ５μｍの表面保護層２０が形成されている。
【００３２】
次に図３および図４を参照して、幅木材１１の形状について説明する。図３は幅木材１１を示す斜視図であり、図４は、図３の幅木材１１をＡ−Ａ方向から見た場合の断面を示す図である。図３に示すように、幅木材１１は長方形の形状を有し、その長さは例えば４０００ｍｍであり、その幅は例えば５０ｍｍである。また図３に示すように、幅木材１１の上面２１の略中央には、上面２１の全長にわたって延びる縦溝２１ｃ（貫通溝）が形成されており、上面２１の長側部２２，２４側の端部には面取り部２１ａが形成されている。
【００３３】
このうち縦溝２１ｃは、図４に示すように、底面２１ｄと、底面２１ｄから直立する一対の側面２１ｅとからなっている。このように底面２１ｄと一対の側面２１ｅとからなる縦溝２１ｃにおいて、縦溝２１ｃの幅および深さは例えば５ｍｍおよび３ｍｍとなっている。また、面取り部２１ａにおいて、面取り部２１ａの幅および深さは例えば５ｍｍおよび３ｍｍとなっている。
【００３４】
なお図４に示すように、幅木材１１は、木質板１２を化粧シート１４によって巻き込む、いわゆるラッピングという手法により形成されている。この場合、図４に示すように、木質板１２の上面、側面および底面の一部が化粧シート１４により覆われており、木質板１２の底面における化粧シート１４の巻き込み長さは例えば５ｍｍとなっている。また図４に示すように、幅木材１１の縦溝２１ｃは、幅木材１１の化粧シート１４から木質板１２にまで達する深さを有している。なお、このような縦溝２１ｃは、幅木材１１に例えば切削加工を施すことにより形成されるが、この際、縦溝２１ｃのうち木質板１２にまで達する部分には、ささくれなどの凹凸部が形成されやすい。そのような凹凸部の高さは、例えば１００〜２００μｍである。
なお、幅木材１１の密着性を向上させるため、幅木材１１に後述する溶液２８およびインキ２７を塗布する前に、幅木材１１のうち面取り部２１ａおよび縦溝２１ｃを含む上面２１にコロナ放電処理を施すことが好ましい。
【００３５】
溶液およびインキ
次に、幅木材１１の面取り部２１ａおよび縦溝２１ｃに塗布されるインキ２７、およびインキ２７に対して親和性を持つ溶液２８について説明する。
【００３６】
まずインキ２７について説明する。インキ２７の種類は特に限定されず、化粧シート１４の分野で用いられる公知のインキ２７が挙げられる。例えば、公知の染料又は顔料を結着剤樹脂とともに溶剤又は分散剤中に溶解又は分散させて得られる着色インキ等である。
【００３７】
顔料又は染料としては、例えば、カーボンブラック、チタン白、亜鉛華、弁柄、紺青、カドミウムレッド等の無機顔料；アゾ顔料、レーキ顔料、アントラキノン顔料、キナクリドン顔料、フタロシアニン顔料、イソインドリノン顔料、ジオキサジン顔料等の有機顔料；アルミニウム粉、ブロンズ粉等の金属粉顔料；酸化チタン被覆雲母、酸化塩化ビスマス等の真珠光沢顔料；蛍光顔料；夜光顔料等が挙げられる。これらは単独又は２種以上を混合して使用できる。また、シリカ等のフィラー、有機ビーズ等の体質顔料、中和剤、界面活性剤等をさらに含んでもよい。
【００３８】
結着剤樹脂としては、例えば、アクリル系樹脂、スチレン系樹脂、ポリエステル系樹脂、ウレタン系樹脂、アクリルウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコン系樹脂、繊維素誘導体、ゴム系樹脂等が挙げられる。これらの樹脂は、単独又は２種以上を混合して使用してもよい。
【００３９】
次に、インキ２７に対して親和性を持つ溶液２８について説明する。溶液２８は、使用されるインキ２７に対して親和性を有していれば特に限定されず、例えば、水とＩＰＡ（イソプロピルアルコール）との混合溶液、水とＴＰＭ（トリフェニルメタン）との混合溶液、または水とＤＭＰ（ジプロピレングリコールメチルエーテル）との混合溶液などが挙げられる。なお、濡れ拡がり特性と乾燥特性の点で考えると、溶液２８として、良好な濡れ拡がり性と適度な乾燥特性を有する水とＩＰＡとの混合溶液を用いることが好ましい。
さらに、幅木材１１の面取り部２１ａおよび縦溝２１ｃとの結合を強固にすることを目的に、溶液２８中で分散する、または溶液２８に可溶な架橋剤を加えることもできる。
【００４０】
インキ塗布装置
次に、図１、図５および図６を参照して、幅木材１１の上面２１に形成された面取り部２１ａおよび縦溝２１ｃに対してインキ２７を塗布するインキ塗布装置１０について説明する。
【００４１】
図１に示すように、インキ塗布装置１０は、幅木材１１を支持して搬送する複数の搬送ローラー３１と、搬送ローラー３１により搬送される幅木材１１の面取り部２１ａまたは縦溝２１ｃおよびそれらの近傍の上面２１に、インキ２７に対して親和性を持つ溶液２８を塗布する溶液塗布ロール３２（溶液塗布手段）と、溶液塗布ロール３２により塗布された溶液２８のうち、幅木材１１の上面２１に残る溶液２８を掻きとって除去する吸水ロール３３（溶液除去手段）と、面取り部２１ａまたは縦溝２１ｃの溶液２８に対してインキ２７を塗布するインキ塗布手段３４とを備えている。
【００４２】
このうち溶液塗布ロール３２は、クッション性のあるスポンジ状のロールから形成されていることが好ましい。ロールの材質の種類は特に限定されないが、例えばウレタン樹脂系の材料を使用することができる。また溶液塗布ロール３２には、インキ２７に対して親和性を持つ溶液２８が予め浸透されている。また吸水ロール３３も、吸水性のあるスポンジ状のロールから形成されている。これらの溶液塗布ロール３２および吸水ロール３３は、それぞれシャフト３２ａ，３３ａにより回動自在に支持されるとともに、幅木材１１の上面２１に押し当てられている。また、各シャフト３２ａ，３３ａの高さは調整可能となっており、このため、各シャフト３２ａ，３３ａの高さを調整することにより、幅木材１１の上面２１に押し当てられている溶液塗布ロール３２および吸水ロール３３の押し当て量（押し当て強さ）を調整することができる。
【００４３】
また図１に示すように、溶液塗布ロール３２は、シャフト３２ａを介して塗布ロール駆動機構５１により回転駆動されている。このため、溶液塗布ロール３２によって幅木材１１の面取り部２１ａまたは縦溝２１ｃおよびそれらの近傍の幅木材１１の上面２１に溶液２８を塗布する際、幅木材１１上で溶液塗布ロール３２が空回りすることはない。このことにより、幅木材１１の面取り部２１ａまたは縦溝２１ｃおよびそれらの近傍の幅木材１１の上面２１に、インキ２７に対して親和性を持つ溶液２８を確実に塗布することができる。
なお溶液塗布ロール３２の回転の向きは特に限定されないが、好ましくは、図１において矢印で示すように、溶液塗布ロール３２は、塗布ロール駆動機構５１により駆動されて幅木材１１の搬送方向と同一の向きに回転する。
【００４４】
また図１に示すように、吸水ロール３３は、シャフト３３ａを介して吸水ロール駆動機構５２により回転駆動されている。このため、吸水ロール３３によって幅木材１１の上面２１に残る溶液２８を掻きとる際、幅木材１１上で吸水ロール３３が空回りすることはない。このことにより、幅木材１１の上面２１に残る溶液２８を精度良く掻きとることができる。
なお吸水ロール３３の回転の向きは特に限定されないが、好ましくは、図１において矢印で示すように、吸水ロール３３は、吸水ロール駆動機構５２により駆動されて幅木材１１の搬送方向と同一の向きに回転する。
【００４５】
幅木材１１の搬送速度、すなわち各搬送ローラー３１の回転速度は、１０〜１００ｍ／ｍｉｎの範囲内で制御部５０により制御されている。同様に、溶液塗布ロール３２および吸水ロール３３の回転速度は、制御部５０により制御されている。溶液塗布ロール３２および吸水ロール３３の回転速度は、幅木材１１の搬送速度、幅木材１１の層構成および溶液２８の種類などに応じて適宜設定されるが、例えば溶液塗布ロール３２の回転速度（溶液塗布ロール３２の周速度）は５〜４０ｍ／ｍｉｎの範囲内となっており、吸水ロール３３の回転速度（吸水ロール３３の周速度）は５〜６０ｍ／ｍｉｎの範囲内となっている。
【００４６】
またインキ塗布手段３４は、回動自在に支持され、その外周面上に付着されたインキ２７を面取り部２１ａまたは縦溝２１ｃの溶液２８に塗布する２段印刷版胴３５または２段印刷版胴４５と、回動自在に支持されるとともにインキパン３７内のインキ２７に浸るよう設けられ、そして２段印刷版胴３５，４５の外周面上にインキ２７を付着させるファニッシャーロール３６とを有している。図１に示すように、２段印刷版胴３５により、インキ２７が面取り部２１ａの溶液２８に塗布され、２段印刷版胴４５により、インキ２７が縦溝２１ｃの溶液２８に塗布される。
【００４７】
また２段印刷版胴３５，４５は、図１に示すように、２段印刷版胴３５，４５の外周面が幅木材１１と接する位置において２段印刷版胴３５，４５の外周面が幅木材１１の搬送方向に対して逆向きに回転するよう、駆動機構（図示せず）により駆動される。また、インキパン３７には排出チューブ３８の一端が接続されており、排出チューブ３８の他端は、インキ２７を一時的に貯蔵するインキバッファタンク３９に接続されている。このインキバッファタンク３９にはインキタンク４０が接続されており、このため、インキタンク４０に蓄えられているインキ２７は、インキバッファタンク３９および排出チューブ３８を経由してインキパン３７へ供給される。
【００４８】
次に図５を参照して、インキ２７を面取り部２１ａの溶液２８に塗布する２段印刷版胴３５について詳述する。図５（ａ）は、幅木材１１の搬送方向から見た場合の２段印刷版胴３５を示す正面図であり、図５（ｂ）は、２段印刷版胴３５を示す側面図である。また図５（ｃ）は、図５（ａ）に示す２段印刷版胴３５のうちその外周面近傍（図５（ａ）において点線で囲まれた部分）を拡大して示す図である。
【００４９】
図５（ａ）（ｂ）に示すように、２段印刷版胴３５は、小径部４１と、小径部４１に連結して設けられた大径部４２とを含んでいる。このうち小径部４１の厚さは１．２ｍｍであり、大径部４２の厚さは０．８ｍｍである。また小径部４１の半径と大径部４２の半径の差は１．５ｍｍである。この半径の差に起因して、図５（ｃ）に示すように、２段印刷版胴３５を回転させて幅木材１１の面取り部２１ａにインキ２７を塗布する際、小径部４１の端部４１ａと大径部４２の端部４２ａとの間において、小径部４１の半径と大径部４２の半径の差１．５ｍｍに対応する領域には、その表面が表面張力により湾曲しているインキ２７の液塊２７ａが形成される。
【００５０】
次に図６を参照して、インキ２７を縦溝２１ｃの溶液２８に塗布する２段印刷版胴４５について詳述する。図６（ａ）は、幅木材１１の搬送方向から見た場合の２段印刷版胴４５を示す正面図であり、図６（ｂ）は、２段印刷版胴４５を示す側面図である。また図６（ｃ）は、図６（ａ）に示す２段印刷版胴４５のうちその外周面近傍（図６（ａ）において点線で囲まれた部分）を拡大して示す図である。
【００５１】
図６（ａ）（ｂ）に示すように、２段印刷版胴４５は、２つの小径部４６と、２つの小径部４６の間に連結して設けられた大径部４７とを含んでいる。このうち小径部４６の厚さは０．６ｍｍであり、大径部４７の厚さは０．４ｍｍである。また各小径部４６の半径と大径部４７の半径の差は１ｍｍである。この半径の差に起因して、図６（ｃ）に示すように、２段印刷版胴４５を回転させて幅木材１１の縦溝２１ｃにインキ２７を塗布する際、各小径部４６の端部４６ａと大径部４７の端部４７ａとの間において、各小径部４６の半径と大径部４７の半径の差１ｍｍに対応する領域には、その表面が表面張力により湾曲しているインキ２７の液塊２７ａがそれぞれ形成される。
【００５２】
インキ塗布方法
次に、幅木材１１の上面２１に形成された面取り部２１ａおよび縦溝２１ｃに対してインキ２７を塗布する方法について説明する。
【００５３】
はじめに、図１に示すように、長側部２２，２４の上端部にそれぞれ面取り部２１ａが形成されるとともに、上面２１に縦溝２１ｃが形成された幅木材１１を準備する。次に、幅木材１１の長側部２２，２４の長さ方向がインキ塗布装置１０の搬送ローラー３１の搬送方向と一致するよう幅木材１１の方向を整えた後、幅木材１１の他側の短側部２５がインキ塗布装置１０の溶液塗布ロール３２に到達するまで、搬送ローラー３１により幅木材１１を搬送する。この際、幅木材１１の搬送速度が７０ｍ／ｍｉｎとなるよう、制御装置５０により各搬送ローラー３１を制御する。
【００５４】
次に、図１に示すように、幅木材１１の上面２１に押し当てられた溶液塗布ロール３２により、幅木材１１の面取り部２１ａまたは縦溝２１ｃおよびそれらの近傍の幅木材１１の上面２１に、インキ２７に対して親和性を持つ溶液２８を塗布する。この際、溶液塗布ロール３２の回転速度が４０ｍ／ｍｉｎとなるよう、制御装置５０により塗布ロール駆動機構５１を制御する。次に、各搬送ローラー３１により幅木材１１を吸水ロール３３に送った後、溶液塗布ロール３２により幅木材１１に塗布された溶液２８のうち幅木材１１の上面２１に残る溶液２８を、吸水ロール３３により掻きとる。この際、吸水ロール３３の回転速度が６０ｍ／ｍｉｎとなるよう、制御装置５０により吸水ロール駆動機構５２を制御する。この場合、幅木材１１の上面２１は一般に凹凸の少ない滑らかな表面からなり、このため、幅木材１１の上面２１に残る溶液２８を吸水ロール３３により掻きとることは容易である。このようにして、図１に示すように、幅木材１１のうち面取り部２１ａおよび縦溝２１ｃのみが溶液２８により被覆される。
【００５５】
次に、各搬送ローラー３１により幅木材１１の他側の短側部２５がインキ塗布手段３４の２段印刷版胴３５，４５に送られると、幅木材１１の搬送速度が３０ｍ／ｍｉｎとなるよう、制御装置５０により各搬送ローラー３１を制御する。その後、２段印刷版胴３５により、面取り部２１ａ上の溶液２８に対してインキ２７を塗布し、同時に２段印刷版胴４５により、縦溝２１ｃ上の溶液２８に対してインキ２７を塗布する。
この際、前述のように、回転する２段印刷版胴３５の小径部４１の端部４１ａと大径部４２の端部４２ａとの間において、小径部４１の半径と大径部４２の半径の差１．５ｍｍに対応する領域には、その表面が表面張力により湾曲しているインキ２７の液塊２７ａが形成されている。また、幅木材１１の面取り部２１ａ上にはインキ２７に対して親和性を持つ溶液２８が塗布されている。このため、２段印刷版胴３５に吸着されているインキ２７の液塊２７ａを、幅木材１１の面取り部２１ａに接触させることにより、溶液２８中にインキ２７を浸透させることができる。この場合、溶液２８がインキ２７に対して親和性を有しているため、２段印刷版胴３５の配置を幅木材１１の面取り部２１ａに対して正確に設定する必要はなく、インキ２７の液塊２７ａを幅木材１１の面取り部２１ａ上の溶液２８に任意の位置で接触させることができればよい。このようにして、幅木材１１のうち面取り部２１ａにインキ２７が塗布される。
同様に、回転する２段印刷版胴４５の各小径部４６の端部４６ａと大径部４７の端部４７ａとの間において、小径部４６の半径と大径部４７の半径の差１ｍｍに対応する領域には、その表面が表面張力により湾曲しているインキ２７の液塊２７ａがそれぞれ形成されている。また、幅木材１１の縦溝２１ｃ上にはインキ２７に対して親和性を持つ溶液２８が塗布されている。このため、２段印刷版胴４５に吸着されているインキ２７の液塊２７ａを、幅木材１１の縦溝２１ｃに接触させることにより、溶液２８中にインキ２７を浸透させることができる。この場合、溶液２８がインキ２７に対して親和性を有しているため、２段印刷版胴４５の配置を幅木材１１の縦溝２１ｃに対して正確に設定する必要はなく、インキ２７の液塊２７ａを幅木材１１の縦溝２１ｃ上の溶液２８に任意の位置で接触させることができればよい。例えば、縦溝２１ｃの側面２１ｅ上の溶液２８にインキ２７の液塊２７ａを接触させることにより、縦溝２１ｃの側面２１ｅおよび底面２１ｄ上の溶液２８中にインキ２７を浸透させることができる。このようにして、幅木材１１のうち縦溝２１ｃにインキ２７が塗布される。
【００５６】
幅木材１１の面取り部２１ａおよび縦溝２１ｃ全域にわたってインキ２７を塗布し、その後、幅木材１１の一側の短側部２３が２段印刷版胴３５，４５に到達するまで幅木材１１を各搬送ローラー３１により搬送した後、幅木材１１の搬送速度が再び７０ｍ／ｍｉｎとなるよう、制御装置５０により各搬送ローラー３１を制御する。これによって、その面取り部２１ａおよび縦溝２１ｃにインキ２７が塗布された幅木材１１がインキ塗布装置１０から送り出され、このようにして、インキ２７塗布済の幅木材１１が製造される。
【００５７】
このように本実施の形態によれば、幅木材１１の面取り部２１ａまたは縦溝２１ｃおよびそれらの近傍の上面２１に、インキ２７に対して親和性を持つ溶液２８が塗布された後、幅木材１１の上面２１に残る溶液２８が掻きとられる。このため、幅木材１１のうち面取り部２１ａまたは縦溝２１ｃのみを溶液２８により容易に被覆することができる。
【００５８】
また本実施の形態によれば、幅木材１１のうちインキ２７に対して親和性を持つ溶液２８により被覆された面取り部２１ａまたは縦溝２１ｃに対してインキ２７が塗布される。このため、インキ２７を無駄に使うことなく、またインキ２７かすれなどを生じさせることなく、幅木材１１の面取り部２１ａまたは縦溝２１ｃに対して高速で、容易かつ精度良くインキ２７を塗布することできる。このことにより、インキ２７塗布済の幅木材１１を容易に製造することが可能となる。
【００５９】
また本実施の形態によれば、前述のとおり、面取り部２１ａまたは縦溝２１ｃにインキ２７を塗布する前に、面取り部２１ａまたは縦溝２１ｃを溶液２８により被覆する。一般に溶液２８の粘性はインキ２７よりも低く、このため、縦溝２１ｃに、縦溝２１ｃを形成するための切削加工時に発生した化粧シート１４のささくれや木質板１２のささくれがあったとしても、溶液２８がこれらのささくれの下に回りこむことができる。このため、溶液２８により被覆された縦溝２１ｃにインキ２７が塗布されるとき、インキ２７がこれらのささくれの下に回りこむことができる。このことにより、縦溝２１ｃにささくれが形成されている場合であっても、塗布ムラを発生することなく縦溝２１ｃにインキ２７を均一に塗布することができる。
【００６０】
さらに本実施の形態によれば、インキ塗布手段の３４の２段印刷版胴３５は、小径部４１と、小径部４１に連結して設けられた大径部４２とを含み、小径部４１の半径と大径部４２の半径の差に対応する領域には、その表面が表面張力により湾曲している液体領域２７ａが形成されている。また、幅木材１１の面取り部２１ａ上にはインキ２７に対して親和性を持つ溶液２８が塗布されている。このため、２段印刷版胴３５に吸着されているインキ２７の液塊２７ａを、幅木材１１の面取り部２１ａに塗布されている溶液２８に接触させることにより、溶液２８中にインキ２７を浸透させ、これによって、面取り部２１ａに対してインキ２７を塗布することができる。このため、２段印刷版胴３５の配置を幅木材１１の面取り部２１ａに対して正確に設定する必要はなく、このことにより、インキ塗布装置１０の構成を簡略化するとともに、インキ２７塗布時の幅木材１１の搬送速度を大きくすることができる。
【００６１】
また本実施の形態によれば、インキ塗布手段の３４の２段印刷版胴４５は、２つの小径部４６と、２つの小径部４６の間に連結して設けられた大径部４７とを含み、各小径部４６の半径と大径部４７の半径の差に対応する領域には、その表面が表面張力により湾曲している液体領域２７ａがそれぞれ形成されている。また、幅木材１１の縦溝２１ｃ上にはインキ２７に対して親和性を持つ溶液２８が塗布されている。このため、２段印刷版胴４５に吸着されているインキ２７の液塊２７ａを、幅木材１１の縦溝２１ｃに塗布されている溶液２８に接触させることにより、溶液２８中にインキ２７を浸透させ、これによって、縦溝２１ｃに対してインキ２７を塗布することができる。このため、２段印刷版胴４５の配置を幅木材１１の縦溝２１ｃに対して正確に設定する必要はなく、このことにより、インキ塗布装置１０の構成を簡略化するとともに、インキ２７塗布時の幅木材１１の搬送速度を大きくすることができる。
【００６２】
さらに本実施の形態によれば、はじめに、幅木材１１の搬送速度が７０ｍ／ｍｉｎとなるよう、制御装置５０により各搬送ローラー３１が制御され、その後、幅木材１１がインキ塗布手段３４の２段印刷版胴３５，４５に送られると、幅木材１１の搬送速度が３０ｍ／ｍｉｎとなるよう、制御装置５０により各搬送ローラー３１が制御される。その後、幅木材１１の短側部２３が２段印刷版胴３５，４５に到達した後は、幅木材１１の搬送速度が再び７０ｍ／ｍｉｎとなるよう、制御装置５０により各搬送ローラー３１が制御される。このように、２段印刷版胴３５により幅木材１１にインキ２７が塗布される間の幅木材１１の搬送速度を小さくし、一方、幅木材１１にインキ２７が塗布される前後での幅木材１１の搬送速度を大きくすることにより、幅木材１１の面取り部２１ａおよび縦溝２１ｃに正確にインキ２７を塗布するとともに、幅木材１１の塗装工程全体に要する時間を短縮することができる。
【００６３】
なお、本実施の形態において、吸水ロール３３が１段に配置された例を示した。しかしながら、これに限られることはなく、吸水ロール３３を２段または３段あるいはそれ以上配置してもよい（図１の二点鎖線参照）。これによって、１段目の吸水ロール３３によっては幅木材１１の上面２１に塗布された溶液２８を完全に掻きとることができない場合であっても、２段目以降の吸水ロール３３により幅木材１１の上面２１に塗布された溶液２８を完全に掻きとることができる。
【００６４】
また、本実施の形態において、縦溝２１ｃが、化粧シート１４から木質板１２にまで達する深さを有するよう形成されている例を示した。しかしながら、これに限られることはなく、縦溝２１ｃは、木質板１２にまで達する深さを有していなくてもよい。
【００６５】
また、本実施の形態において、幅木材１１の一側の長側部２２側の端部に形成された面取り部２１ａ、および幅木材１１の他側の長側部２４側の端部に形成された面取り部２１ａにインキ２７が塗布される例を示した。しかしながら、これに限られることはなく、幅木材１１の一側の短側部２３側の端部に形成された面取り部、および幅木材１１の他側の短側部２５側の端部に形成された面取り部にインキ２７を塗布してもよい。
【００６６】
また、本実施の形態において、幅木材１１の縦溝２１ｃ、すなわち幅木材１１の長側部２２，２４と平行な方向に延びる溝にインキ２７が塗布される例を示した。しかしながら、これに限られることはなく、幅木材１１の短側部２３，２５と平行な方向に延びる幅木材１１の横溝にインキ２７を塗布してもよい。
【００６７】
また、本実施の形態において、幅木材１１の上面２１の略中央には縦溝２１ｃが形成され、上面２１の長側部２２、２４側の端部には面取り部２１ａが形成されている例を示した。しかしながら、これに限られることはなく、図７（ａ）に示すように、幅木材１１の上面２１の長側部２２、２４のうちどちらか一方の長側部の端部にのみ面取り部２１ａが形成されていてもよい。また図７（ｂ）に示すように、縦溝２１ｃが化粧シート１４により覆われていてもよい。また縦溝２１ｃは、図７（ｃ）に示すように、傾斜面２１ｆを有していてもよい。
【００６８】
また、本実施の形態において、２段印刷版胴３５，４５は、２段印刷版胴３５，４５の外周面が幅木材１１と接する位置において、２段印刷版胴３５，４５の外周面が幅木材１１の搬送方向に対して逆向きに回転するよう、駆動機構により駆動される例を示した。しかしながら、これに限られることはなく、２段印刷版胴３５，４５の外周面が幅木材１１と接する位置において、２段印刷版胴３５，４５の外周面が幅木材１１の搬送方向に対して同じ向きに回転するよう、２段印刷版胴３５，４５を駆動機構により駆動してもよい。
【００６９】
また、本実施の形態において、はじめに、幅木材１１の搬送速度が７０ｍ／ｍｉｎとなるよう、制御装置５０により各搬送ローラー３１が制御され、その後、幅木材１１がインキ塗布手段３４の２段印刷版胴３５，４５に送られると、幅木材１１の搬送速度が３０ｍ／ｍｉｎとなるよう、制御装置５０により各搬送ローラー３１が制御され、その後、幅木材１１の短側部２３が２段印刷版胴３５，４５に到達した後、幅木材１１の搬送速度が再び７０ｍ／ｍｉｎとなるよう、制御装置５０により各搬送ローラー３１が制御される例を示した。しかしながら、これに限られることはなく、幅木材１１の搬送速度が常に一定となるよう、制御装置５０により各搬送ローラー３１を制御してもよい。また、幅木材１１の搬送速度を、幅木材１１の面取り部２１ａまたは縦溝２１ｃの寸法や、インキ２７および溶液２８の特性などに応じて、適宜調整してもよい。
【００７０】
また、本実施の形態において、２段印刷版胴３５の小径部４１の厚さは１．２ｍｍであり、大径部４２の厚さは０．８ｍｍであり、小径部４１の半径と大径部４２の半径の差は１．５ｍｍである例を示した。しかしながら、これに限られることはなく、小径部４１および大径部４２の厚さおよび半径を、幅木材１１の面取り部２１ａの寸法に応じて適宜設定してもよい。例えば、小径部４１の半径と大径部４２の半径の差を、面取り部２１ａの深さの０．３〜３倍になるよう設定してもよい。
【００７１】
また、本実施の形態において、２段印刷版胴４５の小径部４６の厚さは０．６ｍｍであり、大径部４７の厚さは０．４ｍｍであり、小径部４６の半径と大径部４７の半径の差は１ｍｍである例を示した。しかしながら、これに限られることはなく、小径部４６および大径部４７の厚さおよび半径を、幅木材１１の縦溝２１ｃの寸法に応じて適宜設定してもよい。例えば、小径部４６の半径と大径部４７の半径の差を、縦溝２１ｃの深さの０．３〜３倍になるよう設定してもよい。
【００７２】
また、本実施の形態において、溶液塗布ロール３２および吸水ロール３３がそれぞれシャフト３２ａ、３３ａを介して塗布ロール駆動機構５１および吸水ロール駆動機構５２により回転駆動される例を示した。しかしながら、これに限られることはなく、塗布ロール駆動機構５１および吸水ロール駆動機構５２が設けられていなくてもよい。塗布ロール駆動機構５１および吸水ロール駆動機構５２が設けられていない場合であっても、溶液塗布ロール３２および吸水ロール３３は、シャフト３２ａ、３３ａにより回動自在に支持されるとともに幅木材１１の上面２１に押し当てられており、このため幅木材１１が各搬送ローラー３１により搬送される際、溶液塗布ロール３２および吸水ロール３３と幅木材１１との間に働く摩擦力により、溶液塗布ロール３２および吸水ロール３３を回転させることができる。
【００７３】
第２の実施の形態
次に図８乃至図１２を参照して、本発明の第２の実施の形態について説明する。ここで、図８は、本実施の第２の実施の形態におけるインキ塗布装置全体を示す斜視図であり、図９（ａ）は、本実施の第２の実施の形態におけるドアパネルを示す斜視図であり、図９（ｂ）は、図９（ａ）に示すドアパネルをＢ−Ｂ方向からみた断面図であり、図９（ｃ）は、図９（ａ）に示すドアパネルをＣ−Ｃ方向からみた断面図である。図１０は、本実施の第２の実施の形態におけるディスペンサーを示す斜視図であり、図１１（ａ）（ｂ）（ｃ）は、本実施の第２の実施の形態におけるインキ塗布方法を示す図である。図１２は、本実施の第２の実施の形態におけるインキ塗布装置の変形例を示す斜視図である。
【００７４】
図８乃至図１２に示す第２の実施の形態において、造作部材または家具部材は、上面に縦溝および横溝が形成されたドアパネルからなり、インキ塗布装置は、ドアパネルの縦溝または横溝およびそれらの近傍の上面に、インキに対して親和性を持つ溶液を塗布する溶液塗布手段と、溶液塗布手段により塗布された溶液のうち、上面に残る溶液を除去する溶液除去手段と、縦溝または横溝に塗布された溶液に対してインキを塗布するインキ塗布手段とを備えている。図８乃至図１２に示す第２の実施の形態において、図１乃至図７に示す第１の実施の形態と同一部分には同一符号を付して詳細な説明は省略する。
【００７５】
ドアパネル
はじめに図９（ａ）（ｂ）（ｃ）を参照して、造作部材または家具部材の一例であるドアパネル７０について説明する。はじめにドアパネル７０の形状について説明する。
【００７６】
図９（ａ）に示すように、ドアパネル７０は長方形の形状を有し、その長さは例えば２２００ｍｍであり、その幅は例えば８６０ｍｍである。また図９（ａ）（ｂ）（ｃ）に示すように、ドアパネル７０の上面７３には、ドアパネル７０の長側部７６，７８と平行に延びる縦溝７４ｂと、ドアパネル７０の短側部７７，７９と平行に延びる横溝７４ａとが形成されており、これらの横溝７４ａおよび縦溝７４ｂにより、ドアパネル７０の飾り７４が構成されている。図９（ａ）に示すように、横溝７４ａおよび縦溝７４ｂは、ドアパネル７０の上面７３の内側から延びるよう形成された非貫通溝となっている。
【００７７】
このうち横溝７４ａは、図９（ｂ）に示すように、底面７４ｃと、底面７４ｃから直立する一対の側面７４ｄとからなっている。このように底面７４ｃと一対の側面７４ｄとからなる横溝７４ａにおいて、横溝７４ａの幅および深さは例えば７ｍｍおよび２ｍｍとなっている。また縦溝７４ｂは、図９（ｃ）に示すように、底面７４ｅと、底面７４ｅから直立する一対の側面７４ｆとからなっている。このように底面７４ｅと一対の側面７４ｆとからなる縦溝７４ｂにおいて、縦溝７４ｂの幅および深さは例えば７ｍｍおよび２ｍｍとなっている。
【００７８】
次にドアパネル７０の層構成について説明する。図９（ｂ）（ｃ）に示すように、ドアパネル７０は、木質板７１と、木質板７１上に接着剤層（図示せず）を介して積層された化粧シート７２とを有している。
【００７９】
ドアパネル７０の木質板７１および化粧シート７２の構成は特に限定されないが、例えばドアパネル７０の木質板７１および化粧シート７２は、図１乃至図７に示す第１の実施の形態における幅木材１１の木質板１２および化粧シート１４と略同一の構成を有している。木質板７１の厚さは特に限定されないが、例えば１５〜５０ｍｍの範囲内であり、例えば２５ｍｍとなっている。化粧シート７２の厚さも特に限定されないが、例えば０．０５〜１．０ｍｍの範囲内であり、例えば０．２ｍｍとなっている。また図９（ｂ）（ｃ）に示すように、ドアパネル７０の横溝７４ａおよび縦溝７４ｂは、ドアパネル７０の化粧シート７２から木質板７１にまで達する深さを有している。
なお、図１乃至図７に示す第１の実施の形態における幅木材１１の場合と同様に、ドアパネル７０を、木質板７１を化粧シート７２によって巻き込む、いわゆるラッピングという手法により形成してもよい（図示せず）。この場合、木質板７１の上面、側面および底面の一部が化粧シート７２により覆われる。この際、横溝７４ａおよび縦溝７４ｂは、化粧シート７２により覆われていてもよく、化粧シート７２により覆われていなくてもよい。
また、ドアパネル７０の密着性を向上させるため、ドアパネル７０に後述する溶液２８およびインキ２７を塗布する前に、ドアパネル７０のうち横溝７４ａおよび縦溝７４ｂを含む上面７３にコロナ放電処理を施すことが好ましい。
【００８０】
インキ塗布装置
次に、図８および図１０を参照して、ドアパネル７０の上面７３に形成された横溝７４ａおよび縦溝７４ｂに対してインキ２７を塗布するインキ塗布装置１０について説明する。
【００８１】
インキ塗布装置１０は、ドアパネル７０を支持して搬送する複数の搬送ローラー３１と、搬送ローラー３１により搬送されるドアパネル７０の横溝７４ａまたは縦溝７４ｂおよびそれらの近傍の上面７３に、インキ２７に対して親和性を持つ溶液２８を塗布する溶液塗布手段と、溶液塗布手段により塗布された溶液２８のうち、ドアパネル７０の上面７３に残る溶液２８を掻きとって除去する溶液除去手段と、横溝７４ａまたは縦溝７４ｂの溶液２８に対してインキ２７を塗布するインキ塗布手段とを備えている。
【００８２】
このうち溶液塗布手段は、図８に示すように、ドアパネル７０の縦溝７４ｂおよびそれらの近傍の上面７３に溶液２８を塗布する縦溝溶液塗布用ディスペンサー６１と、ドアパネル７０の横溝７４ａおよびそれらの近傍の上面７３に溶液２８を塗布する横溝溶液塗布用ディスペンサー６２とからなる。また図８に示すように、溶液除去手段は、ドアパネル７０の横溝７４ａに平行に延びる吸水ロール６３からなる。また図８に示すように、インキ塗布手段は、縦溝７４ｂの溶液２８に対してインキ２７を塗布する縦溝インキ塗布用ディスペンサー６５と、横溝７４ａの溶液２８に対してインキ２７を塗布する横溝インキ塗布用ディスペンサー６６とからなる。
【００８３】
次に図１０を参照して、縦溝溶液塗布用ディスペンサー６１、横溝溶液塗布用ディスペンサー６２、縦溝インキ塗布用ディスペンサー６５および横溝インキ塗布用ディスペンサー６６について詳述する。なお各ディスペンサー６１，６２，６５，６６は、配置または用いられる塗布材が異なるのみであるから、ここでは、各ディスペンサー６１，６２，６５，６６のうち横溝溶液塗布用ディスペンサー６２について説明する。他のディスペンサー６１，６５，６６の構成は、横溝溶液塗布用ディスペンサー６２の構成と略同一である。
【００８４】
図１０に示すように、横溝溶液塗布用ディスペンサー６２は、溶液２８を収納する本体部６２ａと、本体部６２ａに塗布材供給タンク（図示せず）からの溶液２８をバルブ６２ｃを介して供給する塗布材供給管６２ｂと、本体部６２ａにエアを供給するエア供給管６２ｄと、エアからの圧力を受けた溶液２８が吐出される開口部６２ｅとを有している。開口部６２ｅから吐出される溶液２８の流量は、バルブ６２ｃの開閉、エアの圧力の調整などにより制御される。また横溝溶液塗布用ディスペンサー６２内に設けられた弁（図示せず）を閉めることにより、開口部６２ｅからの溶液２８の吐出を停止することもできる。
【００８５】
図１０に示すように、横溝溶液塗布用ディスペンサー６２は支持機構６２ｆにより支持されており、この支持機構６２ｆは、任意の方向において移動可能となるようディスペンサー駆動機構（図示せず）によって保持されている。このため後述するように、ドアパネル７０の横溝７４ａに溶液２８を塗布する際、横溝溶液塗布用ディスペンサー６２を上下方向および水平方向に任意に移動させることができ、これによって、搬送中のドアパネル７０の横溝７４ａに溶液２８を塗布することが可能となる。
【００８６】
次に吸水ロール６３について詳述する。前述のとおり、吸水ロール６３はドアパネル７０の横溝７４ａに平行に延びており、この場合、図８に示すように、吸水ロール６３は、横溝７４ａを全体にわたって覆う程度に横溝７４ａに平行に延びている。このため後述するように、ドアパネル７０に塗布された溶液２８を除去する際、吸水ロール６３によって、横溝７４ａおよび縦溝７４ｂの近傍の上面７３に残る溶液２８を掻きとって除去することができる。
【００８７】
吸水ロール６３は、吸水性のあるスポンジ状のロールから形成されており、また吸水ロール６３は、シャフト６３ａにより回動自在に支持されるとともに、ドアパネル７０の上面７３に押し当てられている。また、シャフト６３ａの高さは調整可能となっており、このため、シャフト６３ａの高さを調整することにより、ドアパネル７０の上面７３に押し当てられている吸水ロール６３の押し当て量（押し当て強さ）を調整することができる。
【００８８】
また図８に示すように、吸水ロール６３は、シャフト６３ａを介して吸水ロール駆動機構６４により回転駆動されている。このため、吸水ロール６３によってドアパネル７０の上面７３に残る溶液２８を掻きとる際、ドアパネル７０上で吸水ロール６３が空回りすることはない。このことにより、ドアパネル７０の上面７３に残る溶液２８を精度良く掻きとることができる。
なお吸水ロール６３の回転の向きは特に限定されないが、好ましくは、図８において矢印で示すように、吸水ロール６３は、吸水ロール駆動機構６４により駆動されてドアパネル７０の搬送方向と同一の向きに回転する。
【００８９】
ドアパネル７０の搬送速度、すなわち各搬送ローラー３１の回転速度は、制御部５０により制御されている。同様に、吸水ロール６３の回転速度および各ディスペンサー６１，６２，６５，６６の移動速度または移動タイミングも、制御部５０により制御されている。吸水ロール６３の回転速度は、ドアパネル７０の搬送速度、ドアパネル７０の層構成および溶液２８の種類などに応じて適宜設定される。
【００９０】
インキ塗布方法
次に、ドアパネル７０の上面７３に形成された横溝７４ａおよび縦溝７４ｂに対してインキ２７を塗布する方法について、図１１（ａ）（ｂ）（ｃ）を参照して説明する。
【００９１】
はじめに、上面７３に横溝７４ａおよび縦溝７４ｂが形成されたドアパネル７０を準備する。次に、ドアパネル７０の長側部７６，７８の長さ方向がインキ塗布装置１０の搬送ローラー３１の搬送方向と一致するようドアパネル７０の方向を整えた後、図１１（ａ）に示すように、ドアパネル７０の短側部７９側の横溝７４ａがインキ塗布装置１０の横溝溶液塗布用ディスペンサー６２の設置場所に到達するまで、搬送ローラー３１によりドアパネル７０を搬送する。
【００９２】
次に図１１（ｂ）に示すように、横溝溶液塗布用ディスペンサー６２により、短側部７９側の横溝７４ａおよびその近傍の上面７３に、インキ２７に対して親和性を持つ溶液２８を塗布する。この際、横溝溶液塗布用ディスペンサー６２が横溝７４ａに沿って図１１（ｂ）の紙面手前側から紙面奥側に向って移動するよう、制御装置５０によりディスペンサー駆動機構（図示せず）を制御する。なお横溝溶液塗布用ディスペンサー６２により横溝７４ａおよびその近傍の上面７３に溶液２８を塗布する間も、ドアパネル７０が搬送ローラー３１によって搬送されており、このため制御装置５０は、横溝溶液塗布用ディスペンサー６２がドアパネル７０と同一の速度でドアパネル７０の搬送方向に移動するとともに、横溝溶液塗布用ディスペンサー６２が横溝７４ａの延びる方向にも移動するよう、ディスペンサー駆動機構を制御する。
【００９３】
また図１１（ｂ）に示すように、ドアパネル７０の縦溝７４ｂが縦溝溶液塗布用ディスペンサー６１の設置場所に到達すると、縦溝溶液塗布用ディスペンサー６１により縦溝７４ｂおよびその近傍の上面７３に溶液２８が塗布される。
【００９４】
次に図１１（ｃ）に示すように、各搬送ローラー３１によりドアパネル７０を吸水ロール６３に送った後、吸水ロール６３により、ドアパネル７０に塗布された溶液２８のうちドアパネル７０の上面７３に残る溶液２８を掻きとる。この場合、ドアパネル７０の上面７３は一般に凹凸の少ない滑らかな表面からなり、このため、ドアパネル７０の上面７３に残る溶液２８を吸水ロール６３により掻きとることは容易である。このようにして、図１１（ｃ）に示すように、ドアパネル７０のうち横溝７４ａおよび縦溝７４ｂのみが溶液２８により被覆される。
【００９５】
次に、短側部７９側の横溝７４ａを横溝インキ塗布用ディスペンサー６６の設置場所まで送り、その後、図１１（ｃ）に示すように、横溝インキ塗布用ディスペンサー６６により横溝７４ａ上の溶液２８に対してインキ２７を塗布する。この際、前述の横溝溶液塗布用ディスペンサー６２の場合と同様に、横溝インキ塗布用ディスペンサー６６が横溝７４ａに沿って図１１（ｃ）の紙面手前側から紙面奥側に向って移動するよう、制御装置５０により横溝インキ塗布用ディスペンサー６６のディスペンサー駆動機構を制御する。ここで前述のように、横溝７４ａ上の溶液２８はインキ２７に対して親和性を有しており、このため、横溝インキ塗布用ディスペンサー６６から吐出されるインキ２７を横溝７４ａ上の溶液２８に任意の位置で接触させることにより、溶液２８中にインキ２７を浸透させることができ、これによって横溝７４ａにインキ２７を塗布することができる。
【００９６】
また図１１（ｃ）に示すように、ドアパネル７０の縦溝７４ｂが縦溝インキ塗布用ディスペンサー６５の設置場所に到達すると、縦溝インキ塗布用ディスペンサー６５により縦溝７４ｂ上の溶液２８に対してインキ２７を塗布する。この場合も、溶液２８はインキ２７に対して親和性を有しており、このため、縦溝インキ塗布用ディスペンサー６５から吐出されるインキ２７を縦溝７４ｂ上の溶液２８に任意の位置で接触させることにより、溶液２８中にインキ２７を浸透させることができ、これによって縦溝７４ｂにインキ２７を塗布することができる。
【００９７】
この間、図１１（ｃ）に示すように、短側部７７側の横溝７４ａが横溝溶液塗布用ディスペンサー６２の設置場所に到達すると、横溝溶液塗布用ディスペンサー６２を図１１（ｃ）に示す紙面奥側から紙面手前側に向って移動するよう、制御装置５０によりディスペンサー駆動機構を制御し、これによって短側部７７側の横溝７４ａおよびその近傍の上面７３に、インキ２７に対して親和性を持つ溶液２８を塗布する。その後、短側部７７側の横溝７４ａにおいて、短側部７９側の横溝７４ａの場合と同様に、横溝７４ａ近傍の上面７３に残る溶液２８が吸水ロール６３により掻きとられた後、横溝インキ塗布用ディスペンサー６６によってインキ２７が塗布される。このようにして、横溝７４ａおよび縦溝７４ｂからなる飾り７４にインキ２７を塗布することができ、これによって、インキ塗布済のドアパネル７０を製造することができる。
【００９８】
このように本実施の形態によれば、ドアパネル７０の横溝７４ａまたは縦溝７４ｂおよびそれらの近傍の上面７３に、インキ２７に対して親和性を持つ溶液２８が塗布された後、ドアパネル７０の上面７３に残る溶液２８が掻きとられる。このため、ドアパネル７０のうち横溝７４ａおよび縦溝７４ｂのみを溶液２８により容易に被覆することができる。
【００９９】
また本実施の形態によれば、ドアパネル７０のうちインキ２７に対して親和性を持つ溶液２８により被覆された横溝７４ａおよび縦溝７４ｂに対してインキ２７が塗布される。このため、インキ２７を無駄に使うことなく、またインキ２７かすれなどを生じさせることなく、ドアパネル７０の横溝７４ａおよび縦溝７４ｂに対して高速で、容易かつ精度良くインキ２７を塗布することできる。このことにより、インキ２７塗布済のドアパネル７０を容易に製造することが可能となる。
【０１００】
また本実施の形態によれば、前述のとおり、横溝７４ａおよび縦溝７４ｂにインキ２７を塗布する前に、横溝７４ａおよび縦溝７４ｂを溶液２８により被覆する。一般に溶液２８の粘性はインキ２７よりも低く、このため、横溝７４ａおよび縦溝７４ｂに、横溝７４ａおよび縦溝７４ｂを形成するための切削加工時に発生した化粧シート７２のささくれや木質板７１のささくれがあったとしても、溶液２８がこれらのささくれの下に回りこむことができる。このため、溶液２８により被覆された横溝７４ａおよび縦溝７４ｂにインキ２７が塗布されるとき、インキ２７がこれらのささくれの下に回りこむことができる。このことにより、横溝７４ａおよび縦溝７４ｂにささくれが形成されている場合であっても、塗布ムラを発生することなく横溝７４ａおよび縦溝７４ｂにインキ２７を均一に塗布することができる。
【０１０１】
なお、本実施の形態において、吸水ロール６３が１段に配置された例を示した。しかしながら、これに限られることはなく、吸水ロール６３を２段または３段あるいはそれ以上配置してもよい（図８の二点鎖線参照）。これによって、１段目の吸水ロール６３によってはドアパネル７０の上面７３に塗布された溶液２８を完全に掻きとることができない場合であっても、２段目以降の吸水ロール６３によりドアパネル７０の上面７３に塗布された溶液２８を完全に掻きとることができる。
【０１０２】
また、本実施の形態において、横溝７４ａおよび縦溝７４ｂが、化粧シート７２から木質板７１にまで達する深さを有するよう形成されている例を示した。しかしながら、これに限られることはなく、横溝７４ａまたは縦溝７４ｂは、木質板７１にまで達する深さを有していなくてもよい。
【０１０３】
また、本実施の形態において、吸水ロール６３がシャフト６３ａを介して吸水ロール駆動機構６４により回転駆動される例を示した。しかしながら、これに限られることはなく、吸水ロール駆動機構６４が設けられていなくてもよい。吸水ロール駆動機構６４が設けられていない場合であっても、吸水ロール６３は、シャフト６３ａにより回動自在に支持されるとともにドアパネル７０の上面７３に押し当てられており、このためドアパネル７０が各搬送ローラー３１により搬送される際、吸水ロール６３とドアパネル７０との間に働く摩擦力により、吸水ロール６３を回転させることができる。
【０１０４】
また、本実施の形態において、横溝溶液塗布用ディスペンサー６２によって横溝７４ａおよびその近傍の上面７３に溶液２８が塗布される例を示した。しかしながら、これに限られることはなく、横溝７４ａに沿って移動可能に支持されている刷毛、スプレーなどにより、横溝７４ａおよびその近傍の上面７３に溶液２８を塗布してもよい。
【０１０５】
また、本実施の形態において、縦溝溶液塗布用ディスペンサー６１によって縦溝７４ｂおよびその近傍の上面７３に溶液２８が塗布される例を示した。しかしながら、これに限られることはなく、図１乃至図７に示す第１の実施の形態の場合と同様に、溶液塗布ロール３２により、縦溝７４ｂおよびその近傍の上面７３に溶液２８を塗布してもよい（図１２参照）。
【０１０６】
また、本実施の形態において、横溝インキ塗布用ディスペンサー６６によって横溝７４ａ上の溶液２８にインキ２７が塗布される例を示した。しかしながら、これに限られることはなく、横溝７４ａに沿って移動可能に支持されている刷毛、スプレーなどにより、横溝７４ａ上の溶液２８にインキ２７を塗布してもよい。
【０１０７】
また、本実施の形態において、縦溝インキ塗布用ディスペンサー６５によって縦溝７４ｂ上の溶液２８にインキ２７が塗布される例を示した。しかしながら、これに限られることはなく、図１乃至図７に示す第１の実施の形態の場合と同様に、２段印刷版胴３５により、縦溝７４ｂ上の溶液２８にインキ２７を塗布してもよく（図１２参照）、その他、円板やスタンプなどによって縦溝７４ｂ上の溶液２８にインキ２７を塗布してもよい。
【符号の説明】
【０１０８】
１０    インキ塗布装置
１１    幅木材
１２    木質板
１３    第１接着剤コート層
１４    化粧シート
１５    基材シート
１６    絵柄層
１７    接着層
１８    透明樹脂層
１９    プライマー層
２０    表面保護層
２１    幅木材の上面
２１ａ  幅木材の上面の面取り部
２１ｃ  幅木材上面の縦溝
２１ｄ  縦溝の底面
２１ｅ  縦溝の側面
２１ｆ  傾斜面
２２    一側の長側部
２３    一側の短側部
２４    他側の長側部
２５    他側の短側部
２７    インキ
２７ａ  インキの液塊
２８    溶液
３１    搬送ローラー
３２    溶液塗布ロール
３２ａ  溶液塗布ロール用シャフト
３３    吸水ロール
３３ａ  吸水ロール用シャフト
３４    インキ塗布手段
３５    面取り部用２段印刷版胴
３６    ファニッシャーロール
３７    インキパン
３８    排出チューブ
３９    インキバッファタンク
４０    インキタンク
４１    面取り部用２段印刷版胴の小径部
４１ａ  小径部の端部
４２    面取り部用２段印刷版胴の大径部
４２ａ  大径部の端部
４５    縦溝用２段印刷版胴
４６    縦溝用２段印刷版胴の小径部
４６ａ  小径部の端部
４７    縦溝用２段印刷版胴の大径部
４７ａ  大径部の端部
５０    制御部
５１    塗布ロール駆動機構
５２    吸水ロール駆動機構
６１    縦溝溶液塗布用ディスペンサー
６２    横溝溶液塗布用ディスペンサー
６２ａ  本体部
６２ｂ  塗布材供給管
６２ｃ  バルブ
６２ｄ  エア供給管
６２ｅ  開口部
６２ｆ  支持機構
６３    吸水ロール
６３ａ  シャフト
６４    吸水ロール駆動機構
６５    縦溝インキ塗布用ディスペンサー
６６    横溝インキ塗布用ディスペンサー
７０    ドアパネル
７１    木質板
７２    化粧シート
７３    ドアパネルの上面
７４    ドアパネルの飾り
７４ａ  横溝
７４ｂ  縦溝
７４ｃ  横溝の底面
７４ｄ  横溝の側面
７４ｅ  縦溝の底面
７４ｆ  縦溝の側面
７５    ドアノブ
７６    一側の長側部
７７    一側の短側部
７８    他側の長側部
７９    他側の短側部
【図１】
2011062670.tif 000003
【図２】
2011062670.tif 000004
【図３】
2011062670.tif 000005
【図４】
2011062670.tif 000006
【図５】
2011062670.tif 000007
【図６】
2011062670.tif 000008
【図７】
2011062670.tif 000009
【図８】
2011062670.tif 000010
【図９】
2011062670.tif 000011
【図１０】
2011062670.tif 000012
【図１１】
2011062670.tif 000013
【図１２】
2011062670.tif 000014